(57)【特許請求の範囲】
【請求項１】
シートに座った人を支えるために下端を中心に前後に回動する安全ガードを前方に開くことを可能又は不能とするために、各々の一端が前記シートに固定されると共に各々の他端が前記安全ガードの内部を通って外部に引き出された２本のベルトを前記安全ガードに対してロック又はアンロックするためのベルト締結機構であって、
前記２本のベルトの各々は、その一端が前記シートに固定されると共に、その他端が相互に概略重ねられた状態で前記安全ガードの内部から外部に引き出され、
前記安全ガードの内部に設けられた略Ｖ字状のゲート部分であって、前記安全ガードに設けた挿通口を介して当該安全ガードの外部から内部に挿通された前記２本のベルトの前記他端が、当該Ｖ字状の狭い部分から広い部分へ引き出される略Ｖ字状のゲート部分と、
前記安全ガードの前方に設けられたベルト口であって、前記ゲート部分から引き出された前記２本のベルトの前記他端が、前記安全ガードの前方外部へさらに引き出されるベルト口と、
前記安全ガードの内部に設けられた摩擦棒材であって、前記２本のベルトの前記他端の相互間に挟まれた状態で前記略Ｖ字状の間に位置する摩擦棒材と、
前記安全ガードに設けられた移動機構であって、前記２本のベルトとの摩擦により前記摩擦棒材が、前記ゲート部の略Ｖ字のテーパー方向へ微小量移動するロック動作、又は当該テーパー方向に対する逆方向へ微小量移動するアンロック動作、を可能とする移動機構とを備え、
前記移動機構を介して前記ロック動作を行うことにより、前記安全ガードに対する前記ベルトの移動を不能として、前記安全ガードを前方に開くことを不能とし、
前記移動機構を介して前記アンロック動作を行うことにより、前記安全ガードに対する前記ベルトの移動を可能として、前記安全ガードを前方に開くことを可能とし、
前記ベルト口から引き出された前記２本のベルトの前記他端を前記安全ガードの前方外部へ引っ張ることによって、当該他端にテンションを与えた状態とすることにより、前記アンロック動作を行なうことを可能としたこと、
を特徴とするベルト締結機構。
【請求項２】
シートに座った人を支えるために下端を中心に前後に回動する安全ガードを前方に開くことを可能又は不能とするために、各々の一端が前記シートに固定されると共に各々の他端が前記安全ガードの内部を通って外部に引き出された２本のベルトを前記安全ガードに対してロック又はアンロックするためのベルト締結機構であって、
前記２本のベルトの各々は、その一端が前記シートに固定されると共に、その他端が相互に概略重ねられた状態で前記安全ガードの内部から外部に引き出され、
前記安全ガードの内部に設けられた略Ｖ字状のゲート部分であって、前記安全ガードに設けた挿通口を介して当該安全ガードの外部から内部に挿通された前記２本のベルトの前記他端が、当該Ｖ字状の狭い部分から広い部分へ引き出される略Ｖ字状のゲート部分と、
前記安全ガードの前方に設けられたベルト口であって、前記ゲート部分から引き出された前記２本のベルトの前記他端が、前記安全ガードの前方外部へさらに引き出されるベルト口と、
前記安全ガードの内部に設けられた摩擦棒材であって、前記２本のベルトの前記他端の相互間に挟まれた状態で前記略Ｖ字状の間に位置する摩擦棒材と、
前記安全ガードに設けられた移動機構であって、前記２本のベルトとの摩擦により前記摩擦棒材が、前記ゲート部の略Ｖ字のテーパー方向へ微小量移動するロック動作、又は当該テーパー方向に対する逆方向へ微小量移動するアンロック動作、を可能とする移動機構と、
相互間に挟まれた状態で前記略Ｖ字状の間に位置する摩擦棒材と、
前記安全ガードに設けられたアンロック機構であって、前記摩擦棒材を前記逆方向に強制的に移動させるアンロック機構とを備え、
前記アンロック機構を、
前記安全ガードの前面に設けたベルトアンロックボタンであって、前記アンロック動作を行なうために前記テーパー方向へ押されるベルトアンロックボタンと、
前記安全ガードの内部に設けられたベルトロックレバーであって、前記ベルトアンロックボタンが前記テーパー方向へ押された際に回動することによって前記摩擦棒材を前記逆方向へ移動させるベルトロックレバーとによって構成したこと、
を特徴とするベルト締結機構。
【請求項３】
前記アンロック機構の前記ベルトアンロックボタンを、前記安全ガードの前面に設けたこと、
を特徴とする請求項２に記載のベルト締結機構。
【請求項４】
シートと、
前記シートに座った人を支えるために下端を中心に前後に回動する安全ガードと、
２本のベルトであって、各々の一端が前記シートに固定されると共に、各々の他端が前記安全ガードの右または左から当該安全ガードの内部に挿通されて相互に概略重ねられた、２本のベルトと、
前記２本のベルトの前記他端を締結するために前記安全ガードに設けられた請求項１又は２に記載のベルト締結機構と、
を備えたことを特徴とする安全ガード装置。
【請求項５】
前記２本のベルトの各々の前記一端には弾性を有する芯材を設け、当該一端を外向きに配置したこと、
を特徴とする請求項４に記載の安全ガード装置。
【発明の詳細な説明】
【０００１】
【発明の属する技術分野】
この発明は、例えばショッピングワゴンのシートなどに設けることが可能な安全ガード装置、及びこの安全ガード装置などに用いられ得るベルト締結機構に関する。
【０００２】
【従来の技術】
従来、スーパー大型店などでは、たくさんの買い物を入れた買い物かごを楽に運べるように、ショッピングワゴン（またはショッピングカートなどとも言う）を用意している。このショッピングワゴンには、乳幼児が着座できるシートを備えたものがある。その一例を図１５に示す。
【０００３】
すなわち、このショッピングワゴン１は、台車部３が略Ｖ字の平面形状をなすフレーム５を有し、この略Ｖ字の下方の角部を前方部として配置され、フレーム５の下側には前後左右の４か所に自在キャスターからなる車輪７が設けられる。
【０００４】
フレーム５の略Ｖ字の後端の左右部分からは、上方へそれぞれ支柱９が設けられる。この支柱９にシート１１が取り付けられる。また、シート１１の外周には外周フレーム１３が設けられ、外周フレーム１３の上方は、ハンドル１５になっている。台車部３のフレーム５の後方部には、買い物かごを支持する支持部材１７が溶接し固定されている。また、このフレーム５の前方部にも、大きなダンボール箱やトイレットペーパーの包みなどを載せることができる支持部１９が設けられている。
【０００５】
そして、シート１１は、座具２１と背もたれ部２３とが一体となって外周フレーム１３に固定され、さらに座部２１の上方を囲むようにして、水平にリング状の手摺２５が外周フレーム１３に対し固定される。また、手摺２５の内側には、安全ベルト２７が設けられ、バックル２９などの締結手段が取り付けられている。
【０００６】
【発明が解決しようとする課題】
しかしながら、従来のショッピングワゴン１に備えられたシート１１の安全ベルト２７は、一般に拘束力が弱いものであった。拘束力を強くしようとして安全ベルト２７を強く閉めると、乳幼児が苦しい思いをする恐れがあった。また、安全ベルト２７の長さを調整するためには、バックル２９に固定されたベルトを一度緩め、更に締め直すなどの作業が必要であり、不便であった。
【０００７】
また、従来のショッピングワゴン１に備えられたシートの安全ガード２５は、固定されたリング状のものであり、前方に向かって大きく突出しており、ショッピングワゴン１を集積するネスティング作業の際に、前後の集積方向に安全ガード２５の部分が重なり、ネスティング寸法が大きくなってしまうものであった。
【０００８】
また、固定され開くなどの動作ができないので、乳幼児の乗せ下ろしの際に邪魔になりやすいものであった。
【０００９】
この発明は以上の課題を解決するために成されたもので、拘束力が大きく、乳幼児などに苦しい思いをさせることがなく、しかも拘束力の調整が容易に行え、前後方向の寸法を小さくでき、乳幼児の乗せ下ろしの際に邪魔になりにくい安全ガード装置を提供することを目的とする。
【００１０】
この発明は、更に、そのような安全ガード装置などに用いることができベルトの長さの調整を容易に行うことができるベルト締結機構を提供することを目的とする。
【００１１】
【課題を解決するための手段】
以上の課題を解決するために、請求項１に記載のベルト締結機構は、シートに座った人を支えるために下端を中心に前後に回動する安全ガードを前方に開くことを可能又は不能とするために、各々の一端が前記シートに固定されると共に各々の他端が前記安全ガードの内部を通って外部に引き出された２本のベルトを前記安全ガードに対してロック又はアンロックするためのベルト締結機構であって、前記２本のベルトの各々は、その一端が前記シートに固定されると共に、その他端が相互に概略重ねられた状態で前記安全ガードの内部から外部に引き出され、前記安全ガードの内部に設けられた略Ｖ字状のゲート部分であって、前記安全ガードに設けた挿通口を介して当該安全ガードの外部から内部に挿通された前記２本のベルトの前記他端が、当該Ｖ字状の狭い部分から広い部分へ引き出される略Ｖ字状のゲート部分と、前記安全ガードの前方に設けられたベルト口であって、前記ゲート部分から引き出された前記２本のベルトの前記他端が、前記安全ガードの前方外部へさらに引き出されるベルト口と、前記安全ガードの内部に設けられた摩擦棒材であって、前記２本のベルトの前記他端の相互間に挟まれた状態で前記略Ｖ字状の間に位置する摩擦棒材と、前記安全ガードに設けられた移動機構であって、前記２本のベルトとの摩擦により前記摩擦棒材が、前記ゲート部の略Ｖ字のテーパー方向へ微小量移動するロック動作、又は当該テーパー方向に対する逆方向へ微小量移動するアンロック動作、を可能とする移動機構とを備え、前記移動機構を介して前記ロック動作を行うことにより、前記安全ガードに対する前記ベルトの移動を不能として、前記安全ガードを前方に開くことを不能とし、前記移動機構を介して前記アンロック動作を行うことにより、前記安全ガードに対する前記ベルトの移動を可能として、前記安全ガードを前方に開くことを可能とし、前記ベルト口から引き出された前記２本のベルトの前記他端を前記安全ガードの前方外部へ引っ張ることによって、当該他端にテンションを与えた状態とすることにより、前記アンロック動作を行なうことを可能としたことを特徴とする。
【００１２】
請求項２に記載のベルト締結機構は、シートに座った人を支えるために下端を中心に前後に回動する安全ガードを前方に開くことを可能又は不能とするために、各々の一端が前記シートに固定されると共に各々の他端が前記安全ガードの内部を通って外部に引き出された２本のベルトを前記安全ガードに対してロック又はアンロックするためのベルト締結機構であって、前記２本のベルトの各々は、その一端が前記シートに固定されると共に、その他端が相互に概略重ねられた状態で前記安全ガードの内部から外部に引き出され、前記安全ガードの内部に設けられた略Ｖ字状のゲート部分であって、前記安全ガードに設けた挿通口を介して当該安全ガードの外部から内部に挿通された前記２本のベルトの前記他端が、当該Ｖ字状の狭い部分から広い部分へ引き出される略Ｖ字状のゲート部分と、前記安全ガードの前方に設けられたベルト口であって、前記ゲート部分から引き出された前記２本のベルトの前記他端が、前記安全ガードの前方外部へさらに引き出されるベルト口と、前記安全ガードの内部に設けられた摩擦棒材であって、前記２本のベルトの前記他端の相互間に挟まれた状態で前記略Ｖ字状の間に位置する摩擦棒材と、前記安全ガードに設けられた移動機構であって、前記２本のベルトとの摩擦により前記摩擦棒材が、前記ゲート部の略Ｖ字のテーパー方向へ微小量移動するロック動作、又は当該テーパー方向に対する逆方向へ微小量移動するアンロック動作、を可能とする移動機構と、相互間に挟まれた状態で前記略Ｖ字状の間に位置する摩擦棒材と、前記安全ガードに設けられたアンロック機構であって、前記摩擦棒材を前記逆方向に強制的に移動させるアンロック機構とを備え、前記アンロック機構を、前記安全ガードの前面に設けたベルトアンロックボタンであって、前記アンロック動作を行なうために前記テーパー方向へ押されるベルトアンロックボタンと、前記安全ガードの内部に設けられたベルトロックレバーであって、前記ベルトアンロックボタンが前記テーパー方向へ押された際に回動することによって前記摩擦棒材を前記逆方向へ移動させるベルトロックレバーとによって構成したことを特徴とする。
【００１３】
請求項３に記載のベルト締結機構は、請求項２に記載のベルト締結機構において、前記アンロック機構の前記ベルトアンロックボタンを、前記安全ガードの前面に設けたことを特徴とする。
【００１４】
請求項４に記載の安全ガード装置は、シートと、前記シートに座った人を支えるために下端を中心に前後に回動する安全ガードと、２本のベルトであって、各々の一端が前記シートに固定されると共に、各々の他端が前記安全ガードの右または左から当該安全ガードの内部に挿通されて相互に概略重ねられた、２本のベルトと、前記２本ベルトの前記他端を締結するために前記安全ガードに設けられた請求項１又は２に記載のベルト締結機構とを備えたことを特徴とする。
【００１５】
請求項５に記載の安全ガード装置は、請求項４に記載の安全ガード装置において、前記２本のベルトの各々の前記一端には弾性を有する芯材を設け、当該一端を外向きに配置したことを特徴とする。
【００１６】
【発明の実施の形態】
この発明の一実施形態を、図１乃至図１４において説明する。
【００１７】
図１乃至図４の全体図に示すように、この実施形態のショッピングワゴン３１の台車部３３を構成するフレーム３５は、前方側の幅が後方側の幅よりも短く設定され、略Ｖ字状になっている。フレーム３５の前後左右には４個の自在キャスターが設けられて車輪３７とされる。
【００１８】
このフレーム３５の略Ｖ字の前後方向中央の左右両側部分からは、上方へ向かってそれぞれ支柱３９が設けられる。この支柱３９の途中にリクライニングシート４１が取り付けられる。各支柱９の上端は、ハンドル４３によって連結される。このハンドル４３は、外側、すなわちショッピングワゴン３１を使用する使用者側へ膨らんだ円弧形状をしている。ハンドル４３の中央には表示プレート４５が取り付けられ、使用者が表示プレート４５に記載された注意書きなどを読むことができる。尚、小さなリング４４は、傘立て用の保持リングである。
【００１９】
（支持部材）
台車部３３のフレーム３５の後方部には、買い物かご４６を支持する支持部材４７が設けられる。この支持部材４７の後端は、側面図（図２）に示すように、上方に向かって屈曲した接触部４９を形成している。この接触部４９は、後方から接近するショッピングワゴン３１の台車部３３のフレーム３５の先端が接触した際に、支持部材４７に上方への力が加わりやすくするためのものである。そして、フレーム３５の先端は、この接触部４９の屈曲角度と対応した傾斜角度を有する傾斜部５１を有する。
【００２０】
また、この支持部材４７は、接触部４９において接触した際に、力が加わり跳ね上げられて上方へ移動し、下方にフレーム３５が潜り込んでネスティングが可能となるように、フレーム３５に対し移動機構によって緩やかに保持されている。この移動機構は、支持部材４７の前端を中心に回動して後端が上方へ移動する構成である。
【００２１】
（リクライニングシート）
２本の支柱３９は途中から後方へ屈曲する。この屈曲部分の若干下側に、シート支持材５７が前方に向かって突設される。シート支持材５７の先端の回動軸５８に、リクライニングシート４１が回動可能に設けられる。このリクライニングシート４１は、座部５９と背もたれ部６１が一体に形成されている。
【００２２】
座部５９には、左右に手摺５９ａが一体的に設けられている。すなわち、従来のリング状の手摺２５（図１５参照）は廃止され、座部５９の左右において前方に短く突出する丸みを帯びた手摺５９ａが設けられる。これにより乳幼児が手摺５９ａを握ることで姿勢を安定させ、乳幼児に対して安心感を与えることができる。
【００２３】
このシート４１には、起きた状態（図５に示すように水平方向に対し６０度）、中間状態（同じく４５度）、及び寝た状態（同じく３２度）の３つの状態をそれぞれロックするロック機構Ｒ（図６参照）が設けられる。
【００２４】
すなわち、シート４１はリクライニングロッド６３によってこれらの３つの状態で保持される。リクライニングロッド６３は、下端が前記シート支持材５７の後端に回動自在に取り付けられ、上端がシート４１の長孔６５に貫通している。この長孔６５は、背もたれ部６１の両側面に略上下方向に形成されている。リクライニングロッド６３の上端は、長孔６５に沿って移動可能となっている。
【００２５】
この長孔６５の後方には、リクライニングロック６７が配置される。リクライニングロック６７は２つの係合突起６９、７１を有し、起きた状態と中間状態とそれぞれロックする位置で、リクライニングロッド６３が下方から係合する位置に設けられる。なお、寝た状態は、リクライニングロック６７が長孔６５の上端７３に係合してロックされる。各状態におけるシート４１の回動角度は、水平方向に対し６０度、４５度、３２度である。
【００２６】
このリクライニングロック６７は、長孔６５に向かって、前進後退可能であり、ロックばね７５によって付勢され、係合突起６９、７１が長孔６５に向かって突出するよう構成される。また、リクライニングロック６７には３か所にリクライニング軸７７が一体的に設けられ、長孔６５が形成された溝部材７９に同じく形成された３つのスライド溝８１にそれそれスライド可能に嵌合し、これにより長孔６５に対するリクライニングロック６７の姿勢が前進後退を行うスライド動作において保持される。
【００２７】
また、このリクライニングロック６７を長孔６５から強制的に後退させるレバー機構８３が設けられる。すなわち、背もたれ部６１の溝部材７９に上下方向に形成されたレバー溝８５に沿って上下方向にスライド可能に、レバー８７が設けられる。レバー８７の下側には、指を引っ掛けるためのくぼみ８７ａがあり、指を引っ掛けてレバー８７を上方へスライド移動させることができる。このスライドは、レバー溝８５に嵌合するレバー軸８９を介して行われ、このレバー軸８９には、さらにレバー連動板９１が連結されている。
【００２８】
レバー連動板９１には、略直角三角形状を有する二つの窓９３が形成され、各窓９３に前記３つのリクライニング軸７７のうち上２つのリクライニング軸７７が係合している。そして、レバー連動板９１の下端は、レバーばね９５により下方に付勢されている。
【００２９】
（リクライニング動作）
図６のロック状態から、使用者が指をレバー８７に引っ掛けて上方（図中Ｃ方向）へ移動させると、同時にレバー連動板９１もレバーばね９５の付勢力に抗して上方へ移動する。この時、レバー連動板９１の窓９３の三角形の斜辺９７に接触して、二つのリクライニング軸７７は後方へ力を受け、これによりリクライニングロック６７は後方（図中Ｄ方向）へ移動し、長孔６５から強制的に後退される。これによってリクライニングロッド６３のロックが解除された状態（図７）となり、リクライニングロッド６３は長孔６５に沿って自由に（図中Ａ、Ｂ方向）移動可能となる。よってシート４１は自由に回動できリクライニング動作がおこなえる。
【００３０】
そして、所定の角度に回動させ、起きた状態、中間状態、または寝た状態のいずれかの状態でレバー８７を放せば、再びレバー連動板９１は図６中下方（図中Ｃ方向と逆方向）に移動し、リクライニングロック６７は長孔へ６５へ向かって突出し、係合突起６９、７１にリクライニングロッド６３が係合して、あるいはリクライニングロック６７が長孔６５の上端７３に係合してロックが行われる（図６）。
【００３１】
次に、シートが寝た状態あるいは中間状態で（図８）、シート４１に前方（図中Ｅ方向）への力が加わると、リクライニングロッド６３に対しシート４１、すなわち溝部材７９は相対的に上方（図中Ｃ方向）へ移動しようとする。このためリクライニングロッド６３は相対的に下方（図中Ｂ方向）へ移動しようとし、係合突起７１または６９の傾斜部９９へ、上方から接触する。この接触により、係合突起７１、６９を有するリクライニングロック６７は長孔６５から後方（図中Ｄ方向）へ後退し（図９）、リクライニングロッド６３は長孔６５を下方（図中Ｂ方向）へ向かって自由に移動可能となり、シート４１は前方（図中Ｅ方向）へ回動し中間状態、更には起きた状態へと自動的に移行する（図８）。このようにしてリクライニングロッド６３、リクライニングロック６７、傾斜部９９、及びロックばね７５などが、移行手段を構成する。
【００３２】
この自動的な移行は、リクライニングロック６７がレバー連動板９１の窓９３に接触せずに行われ、したがってレバー連動板９１やレバー８３の動きを伴わないので、軽い動作で行われる。よって、ネスティング作業（図１０、図１１）をより容易にする。
【００３３】
（ネスティングを容易にするシートの形状）
また、ネスティング作業（図１０、図１１）の際に、後方のショッピングワゴン３１のシート４１の先端は、前方のショッピングワゴン３１のシート４１及びリクライニングロッド６３に接触する。この接触が滑らかに行われるように、シート４１の座部５９の先端１０１は丸い形状となっている。また、背もたれ部６１の背面１０３も円弧形状となっている（図５、図１１）。このように円弧形状とすることで、接触の初期から終期にかけて接触角度をほぼ一定に保つことができ、したがってシートを起こす力を初期から終期にかけてほぼ一定のものとすることができ、移行をスムーズにおこなえる。これによりネスティング動作をより滑らかに行える。
【００３４】
（重心）
また、図４の平面図に示すように、ショッピングワゴン３１の重量、及びリクライニングシート４１に載せる対象となる０才から２歳児までの乳幼児の重量を考慮した全体の重心Ｇの位置は、ほぼ特定できる。そして、ショッピングワゴン４１を床の上で回転させる回転中心Ｃは、４輪の自在キャスターからなる車輪３７の位置によって幾何学的に定まる。すなわち、各車輪３７から等距離にある中央の部分に回転中心Ｃが来る。この重心Ｇと回転中心Ｃを一致させるように、リクライニングシートや４輪の位置を設定する。
【００３５】
このように一致させることで、ショッピングワゴン３１を回転させる際の操作が軽く行われる。
【００３６】
（安全ガード装置）
シート４１の座部５９には、乳幼児を安全に保護するための安全ガード装置１１１（図１乃至図５、図１０乃至図１４）が備えられる。
【００３７】
すなわち、このシート４１に座った乳幼児の股部と腹部を支えるため略Ｔ字状を成す安全ガード１１３が設けられる。この安全ガード１１３は、全体として立体的に外へ膨らむ曲面を有し、そのような曲面を有する内周面が乳幼児の腹部などに柔らかにフィットする。安全ガード１１３は、この略Ｔ字の下端に設けられる回動軸１１５（図１２）を中心に回動可能に取り付けられる。回動軸１１５は水平に設けられ、これにより安全ガード１１３は前後に回動する。また、回動軸１１５にはコイルばね１１７（図５）が取り付けられ、安全ガード１１３を前方へ回動し開く方向へ付勢し、乳幼児の載せ下ろしのスペースを確保しやすくするとともに、乳幼児に圧迫感を与えないようにしている。
【００３８】
この安全ガードの開閉動作を行うために、ベルト１１９が用いられる。すなわち、２本のベルト１１９のそれぞれの一端が、シート４１の左右に固定され、他端が安全ガード１１３の略Ｔ字の右または左の挿通口１２０から挿通される。挿通されたベルト１１９の他端は、安全ガード１１３の内部に設けられたベルト締結機構１２１（図１２乃至図１４）によって締結され、安全ガード１１３の前面に設けられたベルト口１２３から前方へ引き出される。
【００３９】
すなわち、この締結機構１２１においては、締結すべきベルト１１９の両端が、スリット状のゲート部分１２５から引き出される。このゲート部分１２５は、両ベルト１１９が概略重ねられて引き出されるのに十分な大きさを有し、ベルト１１９の面に直交し、かつ該ベルト１１９の長手方向に平行な面による水平断面図（図１２乃至図１４）において、略Ｖ字状を有する。ベルト１１９は、このＶ字の狭い部分から挿入され広い部分へ引き出される。
【００４０】
ゲート部分１２５の略Ｖ字状の間には、摩擦棒材としてローレット軸１２７が配置される。ローレット軸１２７は円柱形状を有し、外周面に多数条の溝が形成されやすり状となり摩擦が大きくしてある。このローレット軸１２７は、両ベルト１１９の間に位置し、このローレット軸１２７の軸方向は、ベルト１１９の面と平行で、ベルト１１９の長手方向と直交する方向に設けられている。そして、ローレット軸１２７は、ベルトロックレバー１２９の先端に取り付けられ、このベルトロックレバー１２９は回動軸１３１回りに回動可能となっており、ベルトロックばね１３３によりローレット軸１２７をゲート部分１２５へ押し付ける方向に、付勢されている。
【００４１】
以上の構成により、ローレット軸１２７は、ベルト１１９との摩擦により、ベルトロックばね１３３の付勢力に抗して図中上下方向に微少量移動できる。すなわち、ベルトロックレバー１２９、ベルトロックばね１３３などによって、微小移動を可能とする移動機構が構成される。これにより、ゲート部分１２５の略Ｖ字のテーパー方向、すなわち狭くなる方向へ微小移動するロック動作、または逆方向へ微小移動するアンロック動作が可能となる。
【００４２】
そして、ベルトロックレバー１２９の他端には、ベルトアンロックボタン１３５がピン１３６によりピン結合されている。ベルトアンロックボタン１３５は、ベルトロックレバー１２９の回動による円周方向に往復動可能に取り付けられる。これらベルトアンロックボタン１３５、ベルトロックレバー１２９などによって、ローレット軸１２７を強制的にアンロック動作させるアンロック機構が構成される。
【００４３】
また、ベルト１１９には、シート４１に固定された付近に、弾性を有する芯材１３７（図１２）が設けられ、この弾性によりベルト１１９は広がる方向（図中Ｄ方向）に付勢される。この芯材１３７の材質には、例えばエチレンビニールアセテート（酢酸ビニール共重合体）などが使用可能であるが、ベルトを外向きに広げるのに十分な弾性を有し、ベルトを締結した際に乳幼児への接触が余り堅くならないものであれば材質を選ばない。
【００４４】
（安全ガードの開閉動作）
通常の状態では、ベルトロックばね１１３によりローレット軸１２７はゲート部分１２５の略Ｖ字のテーパ方向へ押し付けられているので、各ベルト１１９はローレット軸１２７とゲート部分１２５との間に挟まれている。この状態で安全ガード１１３を前方（図１２乃至図１４において上方向）へ回動し開こうとすると、ベルト１１９は安全ガード１１３へ引き込まれる方向（同じくＣ方向）に移動し、さらには安全ガードから相対的に後方（同じくＡ方向）へ移動しようとする。この移動しようとするベルト１１９との摩擦によりローレット軸１２７は、ゲート部分１２５の略Ｖ字のテーパー方向、すなわち狭くなる方向（同じくＣ方向）へ引き込まれることになり、このローレット軸１２７とゲート部分１２５の間にベルト１１９は強く挟まれ、ロックされる。このため安全ガード１１３を開くことはできない。
【００４５】
安全ガード１１３を開閉するためには、ベルトアンロックボタン１３５を押してベルトロックレバー１２９を図中時計回り方向に回動させることで、ローレット軸１２７をテーパー方向とは逆方向（同じくＢ方向）へ強制的に移動させる。これによりベルト１１９はローレット軸１２７とゲート部分１２５との間に挟まれなくなり、自由（同じくＢＣ方向）に移動ができ、したがってロックが解除される。
【００４６】
このロックが解除された状態で、安全ガード１１３を前方（同じく上方向）へ開き、あるいは後方（同じく下方向）へ閉じることができる。閉じる際にはベルト１１９をゲート部分１２５から引き出す方向（同じくＢ方向）へ引っ張るテンションを与えると、スムーズに閉じることができる。
【００４７】
ベルトアンロックボタン１３５を用いないで安全ガード１１３を閉じることもできる。すなわち、安全ガード１１３に対しベルト１１９をゲート部分１２５のテーパー方向とは逆方向（同じくＢ方向）へ引っ張りテンションを与えた状態にする。ベルト１１９を引っ張る際には、ベルトの端部に設けられたベルトグリップ１３９を用いると容易に行える。ベルト１１９を引っ張るテンションを与えると、ローレット軸１２７はベルト１１９との摩擦によりテーパー方向とは逆方向へ微小量移動するアンロック動作を行うので、ロックが解除された状態になる。そこで、他方の手で安全ガード１１３を乳幼児へ押し付ける方向へ、すなわち後方（同じく下方向）へ移動させ、閉じることができる。ベルト１１９を放すと、ベルトロックばね１３３の付勢力により、ローレット軸１２７はテーパー方向へ微小量移動しロック動作を行うので、再びロック状態となる。
【００４８】
（実施形態の効果）
以上の実施形態によれば、ベルト締結機構１２１はベルト１１９を引き出す方向（図１２中のＢ方向）へ引っ張ってテンションを与えた状態にすると、安全ガード１１３を逆方向（図１２中のＣ方向）へ押すことで、安全ガード１１３に対するベルト１１９の相対位置を容易に調整することができる。また、これは換言すれば、ベルト１１９の長さを容易に調節することができることとなる。
【００４９】
また、ロックばね１３３の働きによりロック動作をより確実にでき、アンロック機構のベルトアンロックボタン１３５を押すことでアンロック動作をより確実にできる。
【００５０】
そして、略Ｔ字状の安全ガード１１３の働きにより、シート４１に座った乳幼児の股部と腹部を十分に支え、拘束力を強いものにでき、更に、従来の安全ベルト２７（図１５参照）に比べ、乳幼児への接触部分を大きく取れるので苦しい思いをさせることはない。
【００５１】
また、安全ガード１１３は前後に回動するので、使用しない場合には後方へ回動して閉じておけば、前後方向の寸法を小さくでき、ひいてはネスティング寸法を小さくできる。
【００５２】
また、安全ガード１１３はコイルばね１７によって常に開く方向に付勢されるので、乳幼児などをシート４１に乗せ下ろしする際に安全ガード１１３は開いた状態になり、邪魔になりにくい。
【００５３】
また、ベルト１１９は芯材１３７の働きにより、全体として外向きに広がった状態（図１２）を維持するので、乳幼児などをシート４１へ乗せ下ろしする際にベルト１１９が閉じて邪魔になることを防止できる。
【００５４】
また、以上の実施形態によれば、シート４１を前後方向に回動して、シート４１が起きた状態、中間状態、寝た状態の三つの状態を自由に選択し、ロック機構Ｒによってロックすることができる。
【００５５】
また、ネスティング作業の際に、後方のショッピングワゴン３１のシート４１の先端１０１の部分が、前方のショッピングワゴン３１のシート４１の背面１０３に接触し、シート４１を前方へ回動する力が加わると、シート４１が寝た状態から起きた状態へ自動的に移行するので、人手によってシート４１を起こす必要がなく、コンパクトなネスティングを容易に行える。
【００５６】
また、ネスティング作業の際に後方のショッピングワゴン３１の台車部３３を構成するフレーム３５の先端が、前方のショッピングワゴン３１の買い物かごを支持する支持部材４７の接触部４９に接触し、この支持部材４７を跳ね上げることができ、跳ね上げた支持部材４７の下方に後方のフレーム３５の先端が潜り込めるので、コンパクトなネスティングが可能となる。このために、寝た状態のシート４１の後方に買い物かごのための十分なスペースを確保するように支持部材を低く、特に、フレーム３５よりも低く設けることが可能である。
【００５７】
また、ハンドル４３が円弧形状をすることにより、ショッピングワゴン３１を床の上で回転させる際に、ハンドル４３に対し、回転の円周方向への力を入れやすく、回転が容易に行える。
【００５８】
また、重心Ｇを回転中心Ｃと一致させることで、ショッピングワゴンをより軽く回転できる。
【００５９】
（他の実施形態）
以上の実施形態においては、摩擦棒材はローレット軸１２７であったが、他の実施形態においては必ずしもローレット軸１２７には限らず、ベルト１１９と接触して十分な摩擦を発生させる断面形状を有するような他の棒材であっても構わない。
【００６０】
また、以上の実施形態においては、ローレット軸１２７をロック動作あるいはアンロック動作することを可能とする移動機構は、ベルトロックレバー１２９及びベルトロックばね１３３によって構成されるものであったが、他の実施形態においては、ローレット軸１２７の両端（図１３の紙面に直角な方向の両端）を緩やかに保持する保持部によって構成することが可能である。
【００６１】
また、以上の実施形態においては、リクライニングシート４１は、座部５９と背もたれ部６１が一体に形成されるとともに、前後に回動するリクライニング動作をするものであったが、他の実施形態としては、座部５９に対して背もたれ部６１のみが回動してリクライニング動作するものでも良い。
【００６２】
また、以上の実施形態においては、台車部が有するフレームの「略Ｖ字」は、先端がつぶれた形であり、左右の辺部が直線的であったが、他の実施形態においては、先端が更に尖って完全なＶ字に近いものであっても良い。また、左右の辺部が曲線的であっても良い。要は、フレームの左右の辺部間の距離が前方にいくに従って小さくなることで、ネスティングが行える形状であればよい。
【００６３】
【発明の効果】
以上説明したように、請求項１から３に記載のベルト締結機構によれば、ベルトを引き出す方向へ引っ張ってテンションを与えた状態にすると、このベルトとの摩擦により摩擦棒材がゲート部の略Ｖ字のテーパー方向とは逆方向へ微小量移動し、ベルトは摩擦棒材とゲート部分との間に挟まれなくなるので、ゲート部分をベルトの引き出し方向とは逆方向へ押せば、ベルトの長さを調節できる。
【００６４】
そして、ベルトを引っ張るのを止めた状態では、仮にベルトがゲート部分へ引き込まれようとしても、このベルトとの摩擦によって摩擦棒材がゲートの略Ｖ字のテーパー方向へ微小量移動するロック動作を行い、ベルトはロックされる。
【００６５】
また、請求項２又は３に記載のベルト締結機構によれば、バネの働きによりロック動作をより確実にでき、アンロック機構によりアンロック動作をより確実にできる。
【００６６】
請求項４又は５に記載の安全ガード装置によれば、ベルト締結機構からベルトの両端を概略重ねて引き出すことで、このベルト締結機構が設けられた安全ガードは、ベルトに対し後方へ押しやられ後方へ回動して閉じる。
【００６７】
そして、略Ｔ字状の安全ガードの働きにより、シートに座った人の股部と腹部を十分に支え、拘束力を強いものにでき、更に、従来の安全ベルトに比べ、座った人への接触部分を大きく取れるので苦しい思いをさせることはない。
【００６８】
また、安全ガードは前後に回動するので、使用しない場合には後方へ回動して閉じておけば、前後方向の寸法を小さくできる。
【００６９】
請求項５に記載の安全ガード装置によれば、ベルトは芯材の働きにより全体として外向きに広がった状態を維持するので、乳幼児などをシートへ乗せ下ろしする際にベルトが邪魔になることを防止できる。
【図面の簡単な説明】
【図１】この発明の一実施例に係るショッピングワゴンの全体斜視図である。
【図２】図１の側面図である。
【図３】図１の正面図である。
【図４】図１の平面図である。
【図５】図２のリクライニングシートの動作を示す要部拡大図である。
【図６】図５のロック機構を示す拡大図である。
【図７】図６の動作を示す図である。
【図８】図６の動作を示す図である。
【図９】図６の動作を示す図である。
【図１０】ショッピングワゴンのネスティング作業を示すもので図２に対応する側面図である。
【図１１】図５におけるネスティング作業に伴う動作を説明する図である。
【図１２】図１のリクライニングシートに設けられた安全ガード装置を示す水平断面図である。
【図１３】図１２のベルト締結機構を示す拡大図である。
【図１４】図１３の動作を示す図である。
【図１５】従来のショッピングワゴンを示す斜視図である。
【符号の説明】
５９ａ……手摺
Ｇ  ……重心
Ｃ  ……回転中心
Ｒ  ……ロック機構
１１１……安全ガード装置
１１３……安全ガード
１１５……回動軸
１１７……コイルばね
１１９……ベルト
１２０……挿通口
１２１……ベルト締結機構
１２３……ベルト口
１２５……ゲート部分
１２７……ローレット軸（摩擦棒材）
１２９……ベルトロックレバー
１３１……回動軸
１３３……ベルトロックばね
１３５……ベルトアンロックボタン
１３７……芯材
【図１】
0004209529.tif 000002
【図２】
0004209529.tif 000003
【図３】
0004209529.tif 000004
【図４】
0004209529.tif 000005
【図５】
0004209529.tif 000006
【図６】
0004209529.tif 000007
【図７】
0004209529.tif 000008
【図８】
0004209529.tif 000009
【図９】
0004209529.tif 000010
【図１０】
0004209529.tif 000011
【図１１】
0004209529.tif 000012
【図１２】
0004209529.tif 000013
【図１３】
0004209529.tif 000014
【図１４】
0004209529.tif 000015
【図１５】
0004209529.tif 000016